(57)【要約】【課題】光源ランプが破損した場合に光源ランプの破片がランプ収納部の外部に飛散するのを抑制しながら、組立作業性を向上させることが可能なプロジェクタを提供する。【解決手段】このプロジェクタは、光源ランプ１１が内部に収納され、内部の空気を外部に排出するための排出導風口９ｃを含むランプケース９と、ランプケース９の排出導風口９ｃの外側を覆うように配置され、光源ランプ１１が破損した場合に光源ランプ１１の破片が排出導風口９ｃからランプケース９の外部に放出されるのを抑制するネット部材１２とを備える。ランプケース９は、排出導風口９ｃの近傍の外側面９ｄおよび傾斜した外側面９ｅに突出するように設けられ、光源ランプ１１の破片がランプケース９とネット部材１２との隙間３０を通過するのを抑制する機能を有する突起部９ｆおよび突起部９ｇをさらに含む。【選択図】図３
2008129365.tif 000002
【特許請求の範囲】
【請求項１】
光源ランプと、前記光源ランプが内部に収納され、前記内部の空気を外部に排出するための空気排出用開口部を含むランプ収納部とを備えるプロジェクタにおいて、
前記ランプ収納部の空気排出用開口部の外側を覆うように配置され、前記空気を通過させる機能を有するとともに、前記光源ランプが破損した場合に前記光源ランプの破片が前記空気排出用開口部から前記ランプ収納部の外部に放出されるのを抑制する網状部材と、
前記網状部材を前記ランプ収納部の外側面との間に挟むように前記ランプ収納部の空気排出用開口部に対応する位置に取り付けられ、係合部を含む保持部材とをさらに備え、
前記ランプ収納部は、
前記空気排出用開口部の近傍の外側面に前記網状部材の延びる方向に対して交差する方向に突出するように設けられ、前記光源ランプの破片が前記ランプ収納部と前記網状部材との隙間を通過するのを抑制する機能を有する複数の突起部と、
前記保持部材の係合部が係合する係合穴部とをさらに含み、
前記複数の突起部は、前記保持部材の両側を挟むように設けられるとともに、前記保持部材の取付時のガイドとしての機能を有するように構成され、
前記複数の突起部のうちの少なくとも１つの突起部は、前記ランプ収納部の前記保持部材が配置される部分の外側面に対して前記保持部材側に傾斜するように設けられている、プロジェクタ。
【請求項２】
光源ランプと、
前記光源ランプが内部に収納され、前記内部の空気を外部に排出するための空気排出用開口部を含むランプ収納部と、
前記ランプ収納部の空気排出用開口部の外側を覆うように配置され、前記空気を通過させる機能を有するとともに、前記光源ランプが破損した場合に前記光源ランプの破片が前記空気排出用開口部から前記ランプ収納部の外部に放出されるのを抑制する網状部材とを備え、
前記ランプ収納部は、前記空気排出用開口部の近傍の外側面に前記網状部材の延びる方向に対して交差する方向に突出するように設けられ、前記光源ランプの破片が前記ランプ収納部と前記網状部材との隙間を通過するのを抑制する機能を有する突起部をさらに含む、プロジェクタ。
【請求項３】
前記網状部材を前記ランプ収納部の外側面との間に挟むように前記ランプ収納部の空気排出用開口部に対応する位置に取り付けられる保持部材をさらに備える、請求項２に記載のプロジェクタ。
【請求項４】
前記保持部材は、係合部を含み、
前記ランプ収納部は、前記保持部材の係合部が係合する係合穴部をさらに含む、請求項３に記載のプロジェクタ。
【請求項５】
前記突起部は、前記保持部材の両側を挟むように設けられるとともに、前記保持部材の取付時のガイドとしての機能を有するように構成されている、請求項３または４に記載のプロジェクタ。
【請求項６】
前記突起部は、複数設けられ、
前記複数の突起部のうちの少なくとも１つの突起部は、前記ランプ収納部の前記保持部材が配置される部分の外側面に対して前記保持部材側に傾斜するように設けられている、請求項３〜５のいずれか１項に記載のプロジェクタ。
【発明の詳細な説明】
【技術分野】
【０００１】
この発明は、プロジェクタに関し、特に、光源ランプとランプ収納部とを備えたプロジェクタに関する。
【背景技術】
【０００２】
従来、光源ランプとランプ収納部とを備えたプロジェクタが知られている（たとえば、特許文献１および特許文献２参照）。
【０００３】
上記特許文献１には、光源ランプと、光源ランプが配置されるとともに、空気の排気口である開口部を有するケース状のランプユニット（ランプ収納部）と、ランプユニットの開口部に配置されるメッシュ網とを備えた投射型表示装置（プロジェクタ）が開示されている。また、メッシュ網は、ケース状のランプユニットの内部で、かつ、開口部の近傍の所定の位置に取り付けられている。
【０００４】
また、上記特許文献２には、放電ランプ（光源ランプ）と、複数枚の耐熱性有機材料製のフィルムまたはネットを互いに接着することにより放電ランプを覆うように形成された耐熱有機材料製カバーと、耐熱有機材料製カバーに覆われた放電ランプおよび耐熱有機材料製カバーが配置される外枠とを備えた液晶プロジェクタ装置に使用される光源装置が開示されている。
【０００５】
【特許文献１】特開２００５−３１６１７７号公報
【特許文献２】特開２００３−７１２８号公報
【発明の開示】
【発明が解決しようとする課題】
【０００６】
しかしながら、上記特許文献１に開示された投射型表示装置（プロジェクタ）では、メッシュ網をケース状のランプユニットの内部で、かつ、開口部の近傍の所定の位置に取り付けるので、メッシュ網をランプユニットの内部の所定の位置に配置する作業が煩雑になるという問題点がある。すなわち、メッシュ網を取り付ける際の組立作業性が低下するという問題点がある。
【０００７】
また、上記特許文献２に開示された液晶プロジェクタ装置に使用される光源装置では、耐熱有機材料製カバーの耐熱有機材料製のフィルムまたはネットが互いに接着されている部分が、放電ランプによる熱および経年変化により劣化して、耐熱有機材料製カバーの耐熱有機材料製のフィルムまたはネットが互いに接着されている部分が剥がれる場合があるという不都合がある。このように、耐熱有機材料製カバーの耐熱有機材料製のフィルムまたはネットが互いに接着されている部分が剥がれた状態で、放電ランプ（光源ランプ）が破損した場合、放電ランプの破片は、耐熱有機材料製カバーの耐熱有機材料製のフィルムまたはネットが互いに接着されている部分が剥がれた部分を通過するとともに、耐熱有機材料製カバーの外部および液晶プロジェクタ装置の外部に飛散するという問題点がある。
【０００８】
この発明は、上記のような課題を解決するためになされたものであり、この発明の１つの目的は、光源ランプが破損した場合に光源ランプの破片がランプ収納部の外部に飛散するのを抑制しながら、組立作業性を向上させることが可能なプロジェクタを提供することである。
【課題を解決するための手段および発明の効果】
【０００９】
この発明の第１の局面によるプロジェクタは、光源ランプと、光源ランプが内部に収納され、内部の空気を外部に排出するための空気排出用開口部を含むランプ収納部とを備えるプロジェクタにおいて、ランプ収納部の空気排出用開口部の外側を覆うように配置され、空気を通過させる機能を有するとともに、光源ランプが破損した場合に光源ランプの破片が空気排出用開口部からランプ収納部の外部に放出されるのを抑制する網状部材と、網状部材をランプ収納部の外側面との間に挟むようにランプ収納部の空気排出用開口部に対応する位置に取り付けられ、係合部を含む保持部材とをさらに備え、ランプ収納部は、空気排出用開口部の近傍の外側面に網状部材の延びる方向に対して交差する方向に突出するように設けられ、光源ランプの破片がランプ収納部と網状部材との隙間を通過するのを抑制する機能を有する複数の突起部と、保持部材の係合部が係合する係合穴部とをさらに含み、複数の突起部は、保持部材の両側を挟むように設けられるとともに、保持部材の取付時のガイドとしての機能を有するように構成され、複数の突起部のうちの少なくとも１つの突起部は、ランプ収納部の保持部材が配置される部分の外側面に対して保持部材側に傾斜するように設けられている。
【００１０】
この発明の第１の局面によるプロジェクタでは、上記のように、光源ランプが破損した場合に光源ランプの破片が空気排出用開口部からランプ収納部の外部に放出されるのを抑制する網状部材を、ランプ収納部の空気排出用開口部の外側を覆うように配置することによって、網状部材を、ランプ収納部の空気排出用開口部の内側を覆うように配置する場合とは異なり、網状部材をランプ収納部の外側から取り付けることができるので、網状部材を取り付ける際の組立作業性を向上させることができる。また、網状部材をランプ収納部の外側面との間に挟むようにランプ収納部の空気排出用開口部に対応する位置に取り付けられる保持部材を設けることによって、保持部材が網状部材をランプ収納部の外側面に向かって押さえるように保持することができるので、網状部材がランプ収納部の外側面から脱落するのを抑制することができる。また、光源ランプの破片がランプ収納部と網状部材との隙間を通過するのを抑制する機能を有する複数の突起部を、ランプ収納部の空気排出用開口部の近傍の外側面に網状部材の延びる方向に対して交差する方向に突出するように設けることによって、ランプ収納部の外側面と網状部材との隙間がある状態で光源ランプが破損した場合に、光源ランプの破片がランプ収納部の外側面と網状部材との隙間を通過したとしても、光源ランプの破片を網状部材の延びる方向に対して交差する方向に突出する突起部に衝突させることができるので、光源ランプの破片がランプ収納部の外部まで飛散するのを抑制することができる。また、ランプ収納部に、保持部材の係合部が係合する係合穴部を設けることによって、容易に、保持部材をランプ収納部の所定の位置に取り付けることができる。
【００１１】
また、第１の局面では、突起部を、保持部材の両側を挟むように設けるとともに、保持部材の取付時のガイドとしての機能を有するように構成することによって、保持部材をランプ収納部の外側面の所定の位置に容易に取り付けることができる。また、複数の突起部のうちの少なくとも１つの突起部を、ランプ収納部の保持部材が配置される部分の外側面に対して保持部材側に傾斜するように設けることによって、傾斜するように設けられた突起部により保持部材の突起部側の部分を覆うことができるので、保持部材の突起部側の部分がランプ収納部の外側面から離れるのを抑制することができる。これにより、ランプ収納部の外側面と保持部材との間に配置されている網状部材が、ランプ収納部の外側面から離れるのを抑制することができるので、網状部材とランプ収納部の外側面との間に隙間が形成されるのを抑制することができる。その結果、光源ランプが破損した場合に、光源ランプの破片がランプ収納部の外部まで飛散するのをより抑制することができる。
【００１２】
この発明の第２の局面によるプロジェクタは、光源ランプと、光源ランプが内部に収納され、内部の空気を外部に排出するための空気排出用開口部を含むランプ収納部と、ランプ収納部の空気排出用開口部の外側を覆うように配置され、空気を通過させる機能を有するとともに、光源ランプが破損した場合に光源ランプの破片が空気排出用開口部からランプ収納部の外部に放出されるのを抑制する網状部材とを備え、ランプ収納部は、空気排出用開口部の近傍の外側面に網状部材の延びる方向に対して交差する方向に突出するように設けられ、光源ランプの破片がランプ収納部と網状部材との隙間を通過するのを抑制する機能を有する突起部をさらに含む。
【００１３】
この発明の第２の局面によるプロジェクタでは、上記のように、光源ランプが破損した場合に光源ランプの破片が空気排出用開口部からランプ収納部の外部に放出されるのを抑制する網状部材を、ランプ収納部の空気排出用開口部の外側を覆うように配置することによって、網状部材を、ランプ収納部の空気排出用開口部の内側を覆うように配置する場合とは異なり、網状部材をランプ収納部の外側から取り付けることができるので、網状部材を取り付ける際の組立作業性を向上させることができる。また、光源ランプの破片がランプ収納部と網状部材との隙間を通過するのを抑制する機能を有する突起部を、ランプ収納部の空気排出用開口部の近傍の外側面に網状部材の延びる方向に対して交差する方向に突出するように設けることによって、ランプ収納部の外側面と網状部材との隙間がある状態で光源ランプが破損した場合に、光源ランプの破片がランプ収納部の外側面と網状部材との隙間を通過したとしても、光源ランプの破片を網状部材の延びる方向に対して交差する方向に突出する突起部に衝突させることができるので、光源ランプの破片がランプ収納部の外部まで飛散するのを抑制することができる。
【００１４】
上記第２の局面によるプロジェクタにおいて、好ましくは、網状部材をランプ収納部の外側面との間に挟むようにランプ収納部の空気排出用開口部に対応する位置に取り付けられる保持部材をさらに備える。このように構成すれば、保持部材を用いて網状部材をランプ収納部の外側面に向かって押さえるように保持することができるので、網状部材がランプ収納部の外側面から脱落するのを抑制することができる。
【００１５】
上記保持部材を備えたプロジェクタにおいて、好ましくは、保持部材は、係合部を含み、ランプ収納部は、保持部材の係合部が係合する係合穴部をさらに含む。このように構成すれば、容易に、保持部材をランプ収納部の所定の位置に取り付けることができる。
【００１６】
上記保持部材を備えたプロジェクタにおいて、好ましくは、突起部は、保持部材の両側を挟むように設けられるとともに、保持部材の取付時のガイドとしての機能を有するように構成されている。このように構成すれば、保持部材をランプ収納部の外側面の所定の位置に容易に取り付けることができる。
【００１７】
上記保持部材を備えたプロジェクタにおいて、好ましくは、突起部は、複数設けられ、複数の突起部のうちの少なくとも１つの突起部は、ランプ収納部の保持部材が配置される部分の外側面に対して保持部材側に傾斜するように設けられている。このように構成すれば、傾斜するように設けられた突起部により保持部材の突起部側の部分を覆うことができるので、保持部材の突起部側の部分がランプ収納部の外側面から離れるのを抑制することができる。これにより、ランプ収納部の外側面と保持部材との間に配置されている網状部材が、ランプ収納部の外側面から離れるのを抑制することができるので、網状部材とランプ収納部の外側面との間に隙間が形成されるのを抑制することができる。その結果、光源ランプが破損した場合に、光源ランプの破片がランプ収納部の外部まで飛散するのをより抑制することができる。
【発明を実施するための最良の形態】
【００１８】
以下、本発明の実施形態を図面に基づいて説明する。
【００１９】
図１は、本発明の一実施形態によるプロジェクタの全体構成を示した斜視図である。図２は、本発明の一実施形態によるプロジェクタの平面図である。図３〜図８は、図１に示した本発明の一実施形態によるプロジェクタの詳細構造を説明するための図である。まず、図１〜図８を参照して、本発明の一実施形態によるプロジェクタの構造について説明する。
【００２０】
本発明の一実施形態によるプロジェクタは、図１に示すように、前部フレーム１、後部フレーム２、上部フレーム３および下部フレーム４を備えている。また、前部フレーム１の一方の端部側（矢印Ａ方向側）の部分には、映像を投影するための投影レンズ５が挿入されるレンズ挿入部１ａが形成されている。また、図１および図２に示すように、前部フレーム１の中央の部分から他方の端部側（矢印Ｂ方向側）の部分には、排気口１ｂが設けられている。
【００２１】
また、図２に示すように、下部フレーム４の一方の（矢印Ａ方向）側の側面には、空気を取り入れるための吸気口４ａが設けられるとともに、他方（矢印Ｂ方向）側の側面には、空気を排出するための排出口４ｂが設けられている。この排出口４ｂの内部側には、プロジェクタの内部の空気を外部に排出するための排気ファン６が配置されている。また、下部フレーム４の一方（矢印Ａ方向）側の側面には、メインスイッチ７が設けられている。
【００２２】
また、下部フレーム４には、下部フレーム４の底面４ｃから上方に延びるように仕切壁４ｄが一体的に設けられている。また、仕切壁４ｄに沿うように、ブロワ８が配置されている。また、仕切壁４ｄは、下部フレーム４の吸気口４ａから導風される風を、ブロワ８に導くように設けられている。また、ブロワ８の送風口８ａには、ブロワ８から送風される風を後述するランプケース９に導くためのダクト１０が配置されている。また、ブロワ８には、空気を取り込むための空気取込部８ｂが設けられている。この空気取込部８ｂには、図示しない複数の羽根が回転可能に取り付けられている。すなわち、ブロワ８は、図示しない複数の羽根が回転することによって、空気取込部８ｂから空気が取り込まれ、送風口８ａから取り込まれた空気を送風するように構成されている。
【００２３】
また、光源ランプ１１は、光源としてのガラス製のバルブ１１ａと、バルブ１１ａが発する光を反射して集光するための金属製のリフレクタ１１ｂとを含む。この光源ランプ１１は、ランプケース９の内部に装着されている。このランプケース９は、ＰＰＳ樹脂（ポリフェニレンサルファイド樹脂）（耐熱温度：約２４０℃）により形成されている。なお、ランプケース９は、本発明の「ランプ収納部」の一例である。また、ランプケース９は、図２および図３に示すように、光源ランプ１１から外部への光（紫外線）漏れを防止するために光源ランプ１１を取り囲むように形成されている。また、ランプケース９は、光源ランプ１１を取り囲むように形成されているので、ランプケース９の内部に配置される光源ランプ１１が過度の温度上昇などにより破損した場合にも、光源ランプ１１の破片が外部に飛散するのを抑制することが可能である。
【００２４】
ここで、本実施形態では、図２に示すように、ランプケース９の一方側面９ａの矢印Ａ方向側には、ダクト１０を介してブロワ８から送風される風を取り入れるための流入導風口９ｂが設けられている。また、ランプケース９の一方側面９ａの矢印Ｂ方向側には、光源ランプ１１の後方に導風された空気を外部に排出するための複数の排出導風口９ｃ（図６参照）が設けられている。すなわち、ランプケース９は、流入導風口９ｂからランプケース９の内部に流入された空気がランプケース９の内部を回流することにより光源ランプ１１を冷却するように構成されている。なお、排出導風口９ｃは、本発明の「空気排出用開口部」の一例である。また、プロジェクタは、光源ランプ１１を冷却した後の空気が複数の排出導風口９ｃ（図６参照）からランプケース９の外部に排出された後、排気ファン６を介して外部に排出されるように構成されている。
【００２５】
また、本実施形態では、図３および図６に示すように、ランプケース９の一方側面９ａ側の排出導風口９ｃ（外側面９ｄおよび傾斜した外側面９ｅ）の外側を覆うようにネット部材１２が配置されている。具体的には、排出導風口９ｃの矢印Ａ方向側、矢印Ｂ方向側および矢印Ｃ方向側に、それぞれ、両面テープ１３ａ、両面テープ１３ｂおよび両面テープ１３ｃが貼り付けられており、その両面テープ１３ａ、１３ｂおよび１３ｃにネット部材１２が取り付けられている。また、ネット部材１２は、ステンレス製の線材が網目状に織られることにより形成されており、このネット部材１２の網目の穴径は、約０．２ｍｍ四方の大きさを有する。このネット部材１２は、複数の排出導風口９ｃから排出される空気を通過させる機能を有するとともに、光源ランプ１１が過度の温度上昇などにより破損した場合に光源ランプ１１の破片が排出導風口９ｃからランプケース９の外部に放出（飛散）されるのを抑制する機能を有する。なお、ネット部材１２は、本発明の「網状部材」の一例である。
【００２６】
また、本実施形態では、ランプケース９の外側面９ｄおよび傾斜した外側面９ｅには、保持プレート１４がネット部材１２をランプケース９の外側面９ｄおよび傾斜した外側面９ｅとの間に挟むように取り付けられている。なお、保持プレート１４は、本発明の「保持部材」の一例である。この保持プレート１４は、図４に示すように、ランプケース９の外側面９ｄおよび傾斜した外側面９ｅに対応する形状を有するように形成されており、ランプケース９に取り付けるための係合部１４ａおよび下部取付部１４ｂを含んでいる。この下部取付部１４ｂには、長穴状のボス挿入穴１４ｃおよびネジ挿入穴１４ｄが形成されている。また、ネジ挿入穴１４ｂには、ランプケース９の排出導風口９ｃに対応する位置に、上部開口部１４ｅおよび下部開口部１４ｆが形成されている。また、保持プレート１４は、ネット部材１２をランプケース９の外側面９ｄおよび傾斜した外側面９ｅに貼り付けている両面テープ１３ａ、１３ｂおよび１３ｃが熱および経年変化などにより劣化し、ネット部材１２がランプケース９の外側面９ｄおよび傾斜した外側面９ｅから剥がれた場合にも、ネット部材１２がランプケース９の外側面９ｄおよび傾斜した外側面９ｅから脱落するのを抑制する機能を有する。
【００２７】
また、本実施形態では、図４および図６に示すように、ランプケース９の複数の排出導風口９ｃの近傍の外側面９ｄおよび傾斜した外側面９ｅには、ネット部材１２の延びる方向（矢印Ａ方向、矢印Ｂ方向、矢印Ｃ方向および矢印Ｄ方向）に対して交差する方向（矢印Ｅ方向）に突出するように、かつ、保持プレート１４の両側（矢印Ａ方向側および矢印Ｂ方向側）を挟むように、それぞれ、突起部９ｆおよび突起部９ｇが設けられている。具体的には、突起部９ｆは、両面テープ１３ａの矢印Ａ方向側に形成されており、ランプケース９の外側面９ｄに一体的に、かつ、上下方向（矢印Ｃ方向および矢印Ｄ方向）にリブ状に延びるように設けられている。また、突起部９ｆは、外側面９ｄに対して実質的に垂直方向に突出するように形成されている。また、突起部９ｇは、両面テープ１３ｂの矢印Ｂ方向側に形成されており、ランプケース９の傾斜した外側面９ｅに一体的に、かつ、傾斜した外側面９ｅに対して所定の鋭角α（６０度程度）を有して突出しているとともに、上下方向（矢印Ｃ方向および矢印Ｄ方向）にリブ状に延びるように設けられている。なお、突起部９ｆおよび突起部９ｇは、本発明の「突起部」の一例である。これらの突起部９ｆおよび突起部９ｇは、両面テープ１３ａ、１３ｂおよび１３ｃが熱および経年変化などにより劣化し、ネット部材１２がランプケース９の外側面９ｄおよび傾斜した外側面９ｅから剥離することにより、ネット部材１２とランプケース９の外側面９ｄおよび傾斜した外側面９ｅとの間に隙間３０（図８参照）が形成された状態で、光源ランプ１１が破損した場合の光源ランプ１１の破片がランプケース９とネット部材１２との隙間３０（図８参照）を通過するのを抑制するように構成されている。また、突起部９ｆおよび突起部９ｇは、保持プレート１４をランプケース９に取り付ける際のガイドとしての機能を有する。
【００２８】
また、本実施形態では、突起部９ｇは、図４に示すように、突起部９ｆにほぼ平行に形成されている。すなわち、突起部９ｆおよび突起部９ｇは、保持プレート１４の両側を挟むように設けられるとともに、保持プレート１４の取付時のガイドとしての機能を有する。また、突起部９ｇは、突起部９ｇよりも排出導風口９ｃ側（矢印Ａ方向側）に配置されている保持プレート１４の部分が傾斜した外側面９ｅから離れる方向（矢印Ｆ方向）に移動するのを抑制する機能を有する。
【００２９】
また、図５および図６に示すように、ランプケース９の外側面９ｄのネット部材１２が取り付けられている部分の下側（矢印Ｄ方向側）には、保持プレート１４を支持するプレート支持部９ｈが外側面９ｄに一体的に形成されている。このプレート支持部９ｈには、図５に示すように、長穴状のボス挿入穴９ｉと、ネジ挿入穴９ｊとが設けられている。また、ボス挿入穴９ｉは、保持プレート１４のボス挿入穴１４ｃに対応するように形成されており、ボス挿入穴１４ｃと共に下部フレーム４のボス部４ｅ（図５参照）が嵌め込まれている。また、ネジ挿入穴９ｊは、保持プレート１４のネジ挿入穴１４ｄに対応する位置に形成されている。このネジ挿入穴１４ｄおよびネジ挿入穴９ｊには、ネジ１５が挿入され、ネジ１５は、下部フレーム４のネジ穴４ｆ（図５参照）に固定されている。すなわち、ランプケース９のプレート支持部９ｈと、保持プレート１４の下部取付部１４ｂとは、下部フレーム４に固定されるように構成されている。これにより、保持プレート１４の下部は、ランプケース９に対して矢印Ｅ方向に移動するのが抑制されている。
【００３０】
また、本実施形態では、図６に示すように、ランプケース９の上面部９ｋの外側面９ｄ側（矢印Ｅ方向側）には、矩形状の係合穴部９ｌが矢印Ａ方向および矢印Ｂ方向に延びるように形成されている。この係合穴部９ｌには、保持プレート１４の係合部１４ａが係合されている。これにより、保持プレート１４の上部は、ランプケース９に対して矢印Ｅ方向に移動するのが抑制されている。
【００３１】
また、下部フレーム４には、図２に示すように、マグネシウム（Ｍｇ）からなるキャスティング１６が設置されている。また、キャスティング１６には、光源ランプ１１のバルブ１１ａから照射された光が集光される位置に、カラーホイール１７が回転可能に配置されている。このカラーホイール１７は、光源ランプ１１から照射される光に色を付加する機能を有している。また、カラーホイール１７の矢印Ａ方向側には、光を矩形状に成形するためのライトトンネル１８が取り付けられている。このライトトンネル１８は、光源ランプ１１からの光が入射される入口部１８ａおよび入射された光が出射される出口部１８ｂを有するとともに、筒状の４面体形状に形成されている。
【００３２】
また、ライトトンネル１８の出口部１８ｂ側には、ライトトンネル１８によって成形された光が透過する透過部材１９がキャスティング１６に取り付けられている。また、キャスティング１６には、透過部材１９を透過した光を反射するためのミラー２０が設置されている。また、キャスティング１６の外側には、ミラー２０によって反射された光をさらに反射して投影レンズ５に光を供給するためのＤＭＤ素子２１が設けられている。このＤＭＤ素子２１は、表面に多数の反射部を有するとともに、それら多数の反射部を画像信号に応じて変位させ、反射光の有無によって画像を形成する。また、ＤＭＤ素子２１とミラー２０との間には、レンズ２２が設けられている。このレンズ２２は、ミラー２０によって反射された光をＤＭＤ素子２１の反射部に集光する機能を有する。また、ＤＭＤ素子２１は、ＤＭＤ素子２１を制御するためのプリント基板２３に取り付けられている。このプリント基板２３には、ＤＭＤ素子２１の熱を放熱するためのヒートシンク部材２４が取り付けられている。また、下部フレーム４には、プロジェクタを制御するためのメイン基板２５が配置されている。
【００３３】
次に、図２、図４および図８を参照して、本発明の一実施形態によるプロジェクタの光源ランプ１１が破損した場合における光源ランプ１１の破片の飛散について説明する。
【００３４】
まず、ネット部材１２と外側面９ｄおよび傾斜した外側面９ｅとの間が両面テープ１３ａ、１３ｂおよび１３ｃによりシールされている場合について説明する。
【００３５】
図２に示すように、ランプケース９の内部に装着されている光源ランプ１１のバルブ１１ａが光源ランプ１１の過度の温度上昇により破損した場合に、光源ランプ１１の破片が、ランプケース９の内部において光源ランプ１１が配置されていた部分から全方向に向かって飛散する。その後、飛散された光源ランプ１１の破片の一部分は、図４に示すように、ダクト１０（図２参照）に導かれた空気により排出導風口９ｃの方向（矢印Ｇ１方向および矢印Ｇ２方向）に移動される。そして、光源ランプ１１の破片は、ネット部材１２が配置されている部分に移動される。この際、ネット部材１２と外側面９ｄおよび傾斜した外側面９ｅとの間は、両面テープ１３ａ、１３ｂおよび１３ｃによりシールされているため、光源ランプ１１の破片は、ネット部材１２と外側面９ｄおよび傾斜した外側面９ｅとの間を通過しない。また、ネット部材１２の網目の穴径は、約０．２ｍｍ四方の大きさを有しているため、光源ランプ１１の破片がネット部材１２の網目を通過することが抑制される。これにより、光源ランプ１１の破片がランプケース９の外部まで飛散するのを抑制することが可能となる。
【００３６】
次に、ネット部材１２と外側面９ｄおよび傾斜した外側面９ｅとの間をシールするために貼り付けられた両面テープ１３ａ、１３ｂおよび１３ｃが、光源ランプ１１の熱および経年変化により劣化するのに伴い、ネット部材１２と外側面９ｄおよび傾斜した外側面９ｅとの間がシールされていない場合について説明する。
【００３７】
図２に示すように、ランプケース９の内部に装着されている光源ランプ１１のバルブ１１ａが光源ランプ１１の過度の温度上昇により破損した場合に、光源ランプ１１の破片が、ランプケース９の内部において光源ランプ１１が配置されていた部分から全方向に向かって飛散する。その後、飛散した光源ランプ１１の破片の一部分は、図８に示すように、ダクト１０（図２参照）に導かれた空気により排出導風口９ｃの方向（矢印Ｇ１方向および矢印Ｇ２方向）に移動される。そして、光源ランプ１１の破片は、ネット部材１２が配置されている部分に移動される。この際、上記ネット部材１２と外側面９ｄおよび傾斜した外側面９ｅとの間がシールされている場合と異なり、ネット部材１２と外側面９ｄおよび傾斜した外側面９ｅとの間がシールされていないため、光源ランプ１１の破片は、ネット部材１２と外側面９ｄおよび傾斜した外側面９ｅとの間を矢印Ｉ１方向および矢印Ｉ２方向に移動される。そして、矢印Ｉ１方向および矢印Ｉ２方向に沿って移動された光源ランプ１１の破片は、それぞれ、突起部９ｆおよび突起部９ｇに衝突する。これにより、光源ランプ１１の破片が飛散する勢いが低減されるので、光源ランプ１１の破片がランプケース９の外部まで飛散するのを抑制することが可能となる。
【００３８】
図９および図１０は、本発明の一実施形態によるプロジェクタのランプケースに対する保持プレートの組付工程を説明するための図である。次に、図３〜図６、図９および図１０を参照して、本発明の一実施形態によるプロジェクタのランプケース９に対するネット部材１２および保持プレート１４の組付工程について説明する。
【００３９】
まず、図６に示すように、排出導風口９ｃの矢印Ａ方向側、矢印Ｂ方向側および矢印Ｃ方向側に、それぞれ、両面テープ１３ａ、１３ｂおよび１３ｃを貼り付ける。そして、複数の排出導風口９ｃを覆うようにネット部材１２を両面テープ１３ａ、１３ｂおよび１３ｃに貼り付ける。その後、図９に示すように、保持プレート１４の係合部１４ａをランプケース９の上面部９ｋに形成されている係合穴部９ｌに係合する。そして、保持プレート１４を、図１０に示すように、係合部１４ａを中心に矢印Ｊ方向に回動する。この際、保持プレート１４は、図４および図１０に示すように、突起部９ｆおよび突起部９ｇによりガイドされながら回動される。そして、保持プレート１４を、図３に示すように、ランプケース９の突起部９ｆと突起部９ｇとの間に配置する。この際、下部取付部１４ｂは、図５に示すように、ランプケース９のプレート支持部９ｈに配置される。そして、下部フレーム４のボス部４ｅおよびネジ１５によって保持プレート１４をランプケース９および下部フレーム４に固定する。このようにして、ランプケース９に対するネット部材１２および保持プレート１４の組付が完了する。
【００４０】
本実施形態では、上記のように、光源ランプ１１が破損した場合に光源ランプ１１の破片が排出導風口９ｃからランプケース９の外部に放出されるのを抑制するネット部材１２を、ランプケース９の排出導風口９ｃの外側面９ｄおよび傾斜した外側面９ｅ側を覆うように配置することによって、ネット部材１２を、ランプケース９の排出導風口９ｃの内側を覆うように配置する場合とは異なり、ネット部材１２をランプケース９の外側から取り付けることができるので、ネット部材１２を取り付ける際の組立作業性を向上させることができる。また、光源ランプ１１の破片がランプケース９とネット部材１２との隙間３０を通過するのを抑制する機能を有する突起部９ｆおよび突起部９ｇを、ランプケース９の排出導風口９ｃの近傍の外側面９ｄおよび傾斜した外側面９ｅにネット部材１２の延びる方向（矢印Ａ方向、矢印Ｂ方向、矢印Ｃ方向および矢印Ｄ方向）に対して交差する方向（矢印Ｅ方向）に突出するように設けることによって、ランプケース９の外側面９ｄおよび傾斜した外側面９ｅとネット部材１２との隙間３０がある状態で光源ランプ１１が破損した場合に、光源ランプ１１の破片がランプケース９の外側面９ｄおよび傾斜した外側面９ｅとネット部材１２との隙間３０を通過したとしても、光源ランプ１１の破片をネット部材１２の延びる方向（矢印Ａ方向、矢印Ｂ方向、矢印Ｃ方向および矢印Ｄ方向）に対して交差する方向（矢印Ｅ方向）に突出する突起部９ｆおよび突起部９ｇに衝突させることができるので、光源ランプ１１の破片が飛散する勢いが抑制される。これにより、光源ランプ１１の破片がランプケース９の外部まで飛散するのを抑制することができる。
【００４１】
また、本実施形態では、ネット部材１２をランプケース９の外側面９ｄおよび傾斜した外側面９ｅとの間に挟むようにランプケース９の排出導風口９ｃに対応する位置に取り付けられる保持プレート１４を設けることによって、保持プレート１４がネット部材１２をランプケース９の外側面９ｄおよび傾斜した外側面９ｅに向かって押さえるように保持することができるので、ネット部材１２がランプケース９の外側面９ｄおよび傾斜した外側面９ｅから脱落するのを抑制することができる。
【００４２】
また、本実施形態では、ランプケース９に、保持プレート１４の係合部１４ａが係合する係合穴部９ｌを設けることによって、容易に、保持プレート１４をランプケース９の所定の位置に取り付けることができる。
【００４３】
また、本実施形態では、突起部９ｆおよび突起部９ｇを、保持プレート１４の両側（矢印Ａ方向および矢印Ｂ方向側）を挟むように設けるとともに、保持プレート１４の取付時のガイドとしての機能を有するように構成することによって、保持プレート１４をランプケース９の外側面９ｄおよび傾斜した外側面９ｅの所定の位置に容易に取り付けることができる。
【００４４】
また、本実施形態では、突起部９ｇを、ランプケース９の保持プレート１４が配置される部分の傾斜した外側面９ｅに対して保持プレート１４側に傾斜するように設けることによって、傾斜するように設けられた突起部９ｇにより保持プレート１４の突起部９ｇ側を覆うことができるので、保持プレート１４の突起部９ｇ側の部分がランプケース９の傾斜した外側面９ｅから離れる方向（矢印Ｆ方向）に移動するのを抑制することができる。これにより、ランプケース９の傾斜した外側面９ｅと保持プレート１４との間に配置されているネット部材１２が、ランプケース９の傾斜した外側面９ｅから離れる方向（矢印Ｆ方向）に移動するのを抑制することができるので、ネット部材１２とランプケース９の傾斜した外側面９ｅとの間に隙間３０が形成されるのを抑制することができる。その結果、光源ランプ１１が破損した場合に、光源ランプ１１の破片がランプケース９の外部まで飛散するのをより抑制することができる。
【００４５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４６】
たとえば、上記実施形態では、保持プレートの両側を挟むように突起部９ｆおよび突起部９ｇを設けた例を示したが、本発明はこれに限らず、保持プレートの両側を挟むように一方側突起部および他方側突起部を設けるとともに、保持プレートの上側および下側にそれぞれ上突起部および下突起部を設けるようにしてもよい。
【００４７】
また、上記実施形態では、排出導風口の左側および右側に突起部９ｆおよび突起部９ｇを設けた例を示したが、本発明はこれに限らず、突起部９ｆおよび突起部９ｇのみならず、排出導風口の上側および下側にそれぞれ上突起部および下突起部を設けてもよい。この場合、突起部９ｆおよび突起部９ｇを上突起部および下突起部に一体的に設けるようにしてもよい。
【００４８】
また、上記実施形態では、保持プレートがランプケースに対して移動するのを抑制するために、保持プレートの係合部をランプケースの係合穴部に係合させた例を示したが、本発明はこれに限らず、ランプケースにボス部を設けるとともに保持プレートにボス部を挿入する挿入穴部を設け、ボス部を挿入穴部に挿入するようにしてもよいし、ネジなどにより保持プレートおよびランプケースを固定するようにしてもよい。
【００４９】
また、上記実施形態では、突起部９ｇのみを外側面に対して保持プレート側に傾斜するように形成した例を示したが、本発明はこれに限らず、突起部９ｆも外側面に対して保持プレート側に傾斜するように形成してもよい。
【図面の簡単な説明】
【００５０】
【図１】本発明の一実施形態によるプロジェクタの全体構成を示した斜視図である。
【図２】本発明の一実施形態によるプロジェクタの平面図である。
【図３】図１に示した本発明の一実施形態によるプロジェクタのランプケースにネット部材および保持プレートが取り付けられた構造を示した斜視図である。
【図４】図１に示した本発明の一実施形態によるプロジェクタのランプケースにネット部材および保持プレートが取り付けられた構造を示した平面図である。
【図５】図１に示した本発明の一実施形態によるプロジェクタのランプケースにネット部材および保持プレートが取り付けられた構造を示した正面図である。
【図６】図１に示した本発明の一実施形態によるプロジェクタのランプケースに対するネット部材および保持プレートの取付位置を示した分解斜視図である。
【図７】図１に示した本発明の一実施形態によるプロジェクタの保持プレートを示した斜視図である。
【図８】図１に示した本発明の一実施形態によるプロジェクタの網状部材がランプケースの外側面から剥離した状態を示した平面図である。
【図９】図１に示した本発明の一実施形態によるプロジェクタのランプケースに対する保持プレートの組付工程を説明するための側面図である。
【図１０】図１に示した本発明の一実施形態によるプロジェクタのランプケースに対する保持プレートの組付工程を説明するための側面図である。
【符号の説明】
【００５１】
９  ランプケース（ランプ収納部）
９ｃ  排出導風口（空気排出用開口部）
９ｄ、９ｅ  外側面
９ｆ、９ｇ  突起部
９ｌ  係合穴部
１１  光源ランプ
１２  ネット部材（網状部材）
１４  保持プレート（保持部材）
１４ａ  係合部
３０  隙間
【図１】
2008129365.tif 000003
【図２】
2008129365.tif 000004
【図３】
2008129365.tif 000005
【図４】
2008129365.tif 000006
【図５】
2008129365.tif 000007
【図６】
2008129365.tif 000008
【図７】
2008129365.tif 000009
【図８】
2008129365.tif 000010
【図９】
2008129365.tif 000011
【図１０】
2008129365.tif 000012